(57)【要約】　　　（修正有）【課題】曝気装置の取付け取外し作業を容易に行うことができ、かつ汚水の水位変化に対応することができる曝気装置の取付構造を提供する。【解決手段】上下方向に延びる左右一対の支持部材１を曝気槽の隔壁３２に固定する。一対の支持部材１の間には昇降部材１０を昇降可能に設け、昇降部材１０の前面側突出部には、曝気装置取付部材１３を固定する。取付部材１３の上側斜面に、曝気用ブロアー２６を斜め下方に傾斜した状態で装着し、ブロアー２６の下端から水中に空気を噴出して気泡を発生させる。【選択図】　図２
0003098238.tif 000002
【実用新案登録請求の範囲】
【請求項１】
汚水処理浄化槽内に立設された支持部材と、該支持部材に高さ調整可能に設けられた昇降部材と、該昇降部材に固定され曝気装置が傾斜状態で着脱可能に取り付けられる取付部材とを備えることを特徴とする曝気装置の取付構造。
【請求項２】
隣接する汚水処理浄化槽の隔壁の近傍にそれぞれ支持部材を立設し、これら支持部材を連結部材によって相互に連結して一体化したことを特徴とする請求項１記載の曝気装置の取付構造。
【考案の詳細な説明】
【０００１】
【考案の属する技術分野】
本考案は、汚水処理浄化槽における曝気装置の取付け構造に関し、とくに汚水処理浄化槽内に曝気装置を高さ調整可能に設けた曝気装置の取付構造に関するものである。
【０００２】
【従来の技術】
家畜し尿等の汚水処理浄化槽においては、曝気装置としてブロアーが設けられ、このブロアーにより処理水に高圧のエアーを供給して曝気処理を行っている。この種のブロアーとしては、例えば、図６に示すように、ＦＲＰ製のカバー２７内に収容されたモータ２２に連結され、カバー２７の筒部２５に挿通された中空シャフト２０の下端部にスクリュー式攪拌ロータ２４を固定したものがある。
【０００３】
このブロアー２６を使用して曝気処理を行うには、曝気槽３１内の水位の変化に対応してブロアー２６の高さが変わるように、水面Ｗに浮揚するフロート２８付きの架台２９をロープ３０で係留し、この架台２９上にブラケト２１で支障してブロアー２６傾斜させて載置し、モータ２２により中空シャフト２０の先端に設けられた攪拌ロータ２４を回転させながら、その下端から高圧空気を噴出させて水中に微細な気泡を発生させて汚水を曝気する。
【０００４】
【考案が解決しようとする課題】
しかしながら、上記構成では、ブロアー２６を取付ける際、ブロアー２６の重量が大きいこともあって、水面上で揺れ動く架台２９上に取り付ける作業が極めて困難で、多大な労力を要するという問題があった。このことは、架台２９からブロアー２６を取外す際も同様であった。
本考案は、上記従来技術の課題に鑑みなされたもので、その目的は、汚水処理浄化槽内における曝気装置の取付け取外し作業を容易に行うことができ、かつ汚水処理浄化槽の水面変化に対応することができる曝気装置の取付構造を提供することにある。
【０００５】
【課題を解決するための手段】
この目的を達成する本考案は、汚水処理浄化槽内に立設された支持部材と、該支持部材に高さ調整可能に設けられた昇降部材と、該昇降部材に固定され曝気装置が傾斜状態で着脱可能に取り付けられる取付部材とを備えることを第１の特徴とするものである。また、隣接する汚水処理浄化槽の隔壁の近傍にそれぞれ支持部材を立設し、これら支持部材を連結部材によって相互に連結して一体化させることを第２の特徴とする。
【０００６】
本考案に係る支持部材は、通常、上下方向に延びる左右一対のものである。この支持部材は昇降用のレールとして機能し、汚水処理浄化槽内の隔壁又はその近傍に固定する。支持部材の上部には、曝気装置を吊る下げるためのフックを設けることができる。一対の支持部材の間には、昇降部材を高さ調整可能に設け、昇降部材の前面側には、傾斜面が形成された取付部材を固定する。この取付部材の傾斜面には、曝気装置を下向きに傾斜させて着脱可能に取り付ける。この曝気装置は具体的にはエアーブロアーであって、その下端側に設けた空気吹出し口から高圧空気を噴出して水中に気泡を発生させる。
【０００７】
畜産廃水、塗装廃水、食品廃水、染色廃水、生活排水等の汚水処理施設によっては、複数の浄化槽が隣接して配置されている場合がある。このような場合は、各々の汚水処理浄化槽内にそれぞれ支持部材を固定して据え付け、これら支持部材を相互に連結して一体化させることができる。
【０００８】
本考案に係る曝気装置の取付構造は、汚水処理浄化槽内に支持部材を固定し、この支持部材に昇降部材を高さ調整可能に設け、昇降部材に曝気装置用の取付部材を固定して、曝気装置を着脱可能に取り付けるように構成したものである。これにより、汚水処理浄化槽の水位が大きく変化した場合は、これに対応して曝気装置の高さ位置を変えることができる。したがって、曝気装置の下端側空気吹出し口の高さを常に最適レベルに設定することができ、汚水処理浄化槽内の水面下に必要量の空気を安定して供給でき、良好な曝気処理状態を常時確保して高い浄化性能を維持することができる。
【０００９】
曝気装置を汚水処理浄化槽に据え付ける場合、作業者は汚水処理浄化槽の外側から取付部材に曝気装置を取り付けることができる。すなわち、固定状態の取付部材にボルト締め等の操作のみで曝気装置を簡単に取り付けることができる。このため、曝気装置の取付け作業を短時間に行うことができ、水面に浮揚するフロートの上での作業を要する従来方式に較べて作業が容易になり労力が軽減される。このことは、曝気装置の取外し作業においても同様である。
【００１０】
隣接する汚水処理浄化槽の各支持部材を相互に一体化し連結したものでは、個々に設けたものに較べて支持部材自体の全体的な剛性強度が増大する。さらに、二つの支持部材を同時並行して据付け施工できるので、支持部材の据付け作業を効率良く行うことができる。
【００１１】
【考案の実施の形態】
以下、本考案の実施の形態を図面に示す実施例に基づいて説明する。
図１は本考案に係る曝気装置の取付構造の一実施例を前方から見た状態を示す斜視図、図２は図１の曝気装置の取付構造を後方から見た状態を示す斜視図、図３は図１の曝気装置の取付構造を示す側面断面図、図４は曝気装置（ブロアー）の内部構造を示す一部破断斜視図、図５は本考案の他の実施例を示す斜視図、図６は従来の曝気装置のフロート式取付構造を示す側面図である。
【００１２】
【実施例１】
本実施例は、畜舎である養豚場のコンクリート製の曝気槽（し尿処理浄化槽）に適用したもので、曝気槽の隔壁に立設した一対の支持部材に、昇降部材を高さ調整可能に嵌合連結し、この昇降部材に、曝気用ブロアー（曝気装置）が着脱可能に取り付けられる取付部材を固定したものである。
【００１３】
図１において、１は、上下に延びる左右一対の支持部材で、支持部材１の側面には、複数個のネジ用挿入孔８が上下に所定間隔置きに設けられている。左右一対の支持部材１の下側部分は、曝気槽３１の隔壁３２に当接して固定されている。一対の支持部材１の左右相対向する内側面には、横断面コ字形のレール溝２が上下に延びて形成されている。支持部材１の上部には、曝気用ブロアー２６を牽吊するためのフック３が設けられている。このフック３にチェーンブロック（図示せず）でもってブロアー２６を吊り下げることで取付け作業を容易に行うことができる。
【００１４】
図２に示すように、支持部材１の下部背面側には、鉛直杆４及び水平杆５からなるＬ字形据付け部材６が固着され、水平杆５と支持部材１との間には、略直角三角形の補強用のリブ切板７が固着されている。水平杆５は曝気槽３１の隔壁３２上面にボルト止めされる。
【００１５】
図２及び図３に示すように、左右一対の支持部材１の間には昇降部材１０が昇降可能に設けられ、昇降部材１０は、支持部材１のレール溝２に沿って任意な高さ位置に固定できるようになっている。昇降部材１０の左右両端には、ネジ孔１１を有する側面嵌合部１２が設けられ、側面嵌合部１２はレール溝２に昇降可能に嵌合している。したがって、昇降部材１０の高さを位置決めするには、支持部材１の挿入孔８からボルト等のネジ部材を挿入してネジ孔１１に螺合させればよい。
【００１６】
昇降部材１０の前面側は所定寸法だけ突出し、この前面突出部には取付部材１３が固定されている。取付部材１３の上面は、斜め上方に傾斜している。取付部材１３の斜面には、ブロアー２６の上端部がボルトにより着脱可能に締結固定されている。
【００１７】
ブロアー２６の構成は、従来のスクリュー型曝気装置と同様であって、ブロアー２６の先端から高圧の空気が噴出されるようになっている。具体的には、図４に示すように、ＦＲＰ製カバー２７内に収容されたモータ２２の出力軸には、空気吸込み口２３を有する中空シャフト２０が斜め下向きに連結されている。中空シャフト２０の下端には、スクリュー型攪拌ロータ２４が取り付けられている。曝気運転の際は、攪拌ロータ２４を水中に斜めにセットした状態でモータ２２により回転させることにより、中空シャフト２０の下端から水中に空気を噴出して微細な気泡を発生させることができる。
【００１８】
この実施例は、曝気槽３１の隔壁３２に立設した支持部材１に、昇降部材１０を高さ調整可能に設け、昇降部材１０に固定した取付部材１３に、曝気用ブロアー２６を傾斜して取り付けたものである。これにより、支持部材１のレール溝２に沿って昇降部材１０を上下にスライドさせることで、ブロアー２６の高さを自由に調整することができる。したがって、曝気槽３１の水位が変化した場合は、これに見合った最適の高さにブロアー２６の上下位置を変えることができる。この場合、たとえ水位が大きく変動してもブロアー２６の下端側空気噴出口の高さを最適レベルに設定することができる。このため、曝気槽３１の水中の所定領域に必要量の空気を安定して供給でき水位の変動に対応できる。
【００１９】
ブロアー２６を曝気槽３１に据え付ける際、作業者は曝気槽３１の外側に居ながらにして、ブロアー２６を取付部材１３に取り付けることができる。この場合、ねじ部材による固定作業のみで短時間にかつ容易に取付けを行うことができる。このことは、ブロアー２６の取外し作業を行う場合も同様である。
【００２０】
【実施例２】
図５は本考案の他の実施例を示すもので、複数の曝気槽３１が近接して配設されている場合に適用し得る。曝気ブロアー取付け部分の構成は実施例１とほぼ同様である。すなわち、この曝気装置の取付構造においても、曝気槽３１内の隔壁３２近傍に左右一対の支持部材１が立設され、左右一対の支持部材１には昇降部材１０が高さ調整可能に嵌合している。この昇降部材１０には曝気装置用の取付部材１３が固定され、取付部材１３の傾斜上面には、曝気ブロアー２６の上端部が傾斜状態で着脱可能に取り付けられている。
【００２１】
図５に示すように、複数の曝気槽３１は、地面を掘削して形成した凹所に、遮水シート１８を敷設した簡易式の槽である。隣接する二つの各曝気槽３１の隔壁３２近傍にはそれぞれ、上下方向に延びる左右一対の支持部材１が固定され、二つの支持部材１の上端部同士は、水平な架橋部材（連結部材）１５により相互に連結されている。架橋部材１５は箱形のブロック体１６により支持されると共に、架橋部材１５と支持部材１はリブ１７により補強されている。つまり、二つの支持部材１は架橋部材１５を介してブリッジ構造に一体的に据え付けられている。
【００２２】
このように、架橋部材１５として箱形のブロック体１６を使用することにより、地面を掘削しただけのコンクリート等による外壁を持ち合わせていない簡易式の曝気槽においても曝気ブロアーを安定して据え付けることができる。また、二つの支持部材１同士をブリッジ構造で一体連結したことにより、二つの支持部材１を別々に据え付ける場合に比べて支持部材１の支持強度を大幅に増大させることができる。併せて、二つの支持部材１を同時に築造し得るので、作業能率を著しく高めることができる。
【００２３】
尚、本考案は上記実施例に限定されず、種々の応用変更が可能である。例えば、上記実施例では、支持部材１を左右一対のものとしたが、支持部材１は左右一対のものに限定されず、昇降部材１０を上下方向に移動可能に案内し得るものであればよい。また、支持部材１に嵌合用レール溝を形成し、これに昇降部材１０を昇降可能に設けているが、これとは凹凸嵌合を逆にして、昇降部材１０の方に嵌合用レール溝を形成することも可能である。
【００２４】
【考案の効果】
以上のように本考案は、汚水処理浄化槽内において、昇降部材に固定した取付部材に曝気装置を取り付けたことにより、水位変化に対応可能な曝気装置の取付構造が得られるばかりでなく、更に、曝気装置の装着時には、作業者は汚水処理浄化槽の外側から曝気装置を昇降部材に簡単に着脱することができ、取付け取外し時の作業効率が大幅に向上する。とくに、隣接する汚水処理浄化槽の間において双方の支持部材を連結して一体化したものでは、支持部材の剛性強度を増大させることができ、支持部材の据付け作業を効率良く行うことができる。また、汚水処理浄化槽の内壁に支持部材を固定する必要がないので、地面の凹状部分に遮水シートを敷いた非コンクリート製の簡易型浄化槽にも幅広く適用することができるという優れた効果がある。
【図面の簡単な説明】
【図１】本考案に係る曝気装置の取付構造の一実施例を前方から見た状態を示す斜視図である。
【図２】図１の曝気装置の取付構造を後方から見た状態を示す斜視図である。
【図３】図１の曝気装置の取付構造を示す側面断面図である。
【図４】曝気ブロアーの内部構造を示す一部破断斜視図である。
【図５】本考案の他の実施例を示す斜視図である。
【図６】従来の曝気装置のフロート式取付構造を示す側面図である。
【符号の説明】
１　　支持部材
２　　レール溝
３　　フック
４　　鉛直杆
５　　水平杆
６　　Ｌ字形据付け部材
７　　リブ切板
８　　挿入孔
１０　昇降部材
１１　ネジ孔
１２　側面嵌合部
１３　取付部材
１５　架橋部材（連結部材）
１６　ブロック体
１７　リブ
１８　遮水シート
２０　中空シャフト
２１　ブラケット
２２　モーター
２３　空気吸込み口
２４　スクリュー形攪拌ローター
２５　筒部
２６　曝気ブロアー（曝気装置）
２７　カバー
２８　フロート
２９　架台
３０　ロープ
３１　曝気槽（汚水処理浄化槽）
３２　隔壁
Ｗ　　水面
【図１】
0003098238.tif 000003
【図２】
0003098238.tif 000004
【図３】
0003098238.tif 000005
【図４】
0003098238.tif 000006
【図５】
0003098238.tif 000007
【図６】
0003098238.tif 000008